(57)【要約】【課題】異なる特性を有する種々の物質を、無駄なく、かつ効率良く処理しうるようにする。【解決手段】乾燥状態の物質７を機械的に処理する装置１で、ケーシング２内には、複数のローラ３および複数のローラに対して少なくとも１つのディフューザまたは反作用素子４が設けられている。ケーシングは、少なくとも１つの投入部５と排出部６ａ、６ｂとを有している。ローラ３ａ、３ｂが、各ローラに対して、ディフューザまたは反作用素子とローラとの間に間隙ｄを画成するように、ディフューザまたは反作用素子の周りに配置され、かつディフューザまたは反作用素子を、複数のローラに対して回転自在とするか、少なくとも１つのローラまたは複数のローラ全部を、ディフューザまたは反作用素子に対して回転自在としてある。【選択図】図１
2006289362.tif 000002
【特許請求の範囲】
【請求項１】
複数のローラ（３）と、これら複数のローラに対して、少なくとも１つのディヒューザまたは反作用素子（４）が設けられ、乾燥状態の物質（７）を投入する少なくとも１つの投入部（５）と、これを排出する少なくとも１つの排出部（６ａ）（６ｂ）とを有するケーシング（２）を備える型の、乾燥状態の物質（７）を機械的に処理する装置（１）であって、前記複数のローラの内のローラ（３ａ）（３ｂ）は、前記複数のローラのそれぞれに対して、前記ディフューザまたは反作用素子と、前記ローラの側面との間に間隙（ｄ）を画成するようにして、前記ディフューザまたは反作用素子の周りに配設されており、また前記装置は、前記ディフューザまたは反作用素子を前記複数のローラに対して回転自在に設けるか、または前記複数のローラの内の少なくとも１つのローラを、前記ディフューザまたは反作用素子に対して、回転自在に設ける手段を備えていることを特徴とする装置。
【請求項２】
前記ディフューザまたは反作用素子は、前記ケーシングに対して固定されており、また前記複数のローラは、前記ディフューザまたは反作用素子に対して回転自在であるか，または前記ディフューザまたは反作用素子は、前記ローラに対して回転自在であることを特徴とする、請求項１に記載の装置。
【請求項３】
前記ディフューザまたは反作用素子、および前記複数のローラは、前記ケーシングに対して回転自在であり、また前記複数のローラは、前記ディフューザまたは反作用素子の回転方向と反対方向に回転自在であることを特徴とする、請求項１に記載の装置。
【請求項４】
前記ローラは、前記ディフューザまたは反作用素子の周りを旋回するようになっていることを特徴とする、請求項１〜３のいずれかに記載の装置。
【請求項５】
前記ローラのそれぞれは、その軸線（ａ−ａ）を中心として回転するか、または回転自在であることを特徴とする、請求項１〜４のいずれかに記載の装置。
【請求項６】
前記ローラは、互いに平行をなす軸線を有しており、また前記ケーシングの有機物質投入部は、前記複数のローラの軸線とおおむね平行をなす方向に、前記有機物質を導入できるように成形されていることを特徴とする、請求項１〜５のいずれかに記載の装置。
【請求項７】
前記ディフューザまたは反作用素子は、前記複数のローラの軸線と平行な軸線（ｂ−ｂ）と、前記ローラ側面に少なくとも部分的に対面する側面とを有する、少なくとも１つの円筒部を備えていることを特徴とする、請求項１〜６のいずれかに記載の装置。
【請求項８】
前記ディフューザまたは反作用素子の少なくとも１つの円筒部は、その軸線と平行をなす１つまたはそれ以上の羽根（１８）を備えていることを特徴とする、請求項７に記載の装置。
【請求項９】
乾燥状態の物質を投入するための前記ケーシングの投入部は、前記ディフューザまたは反作用素子の軸線と同一方向に、前記乾燥状態の物質を前記ケーシング内に導入できるように成形されていることを特徴とする、請求項６〜８のいずれかに記載の装置。
【請求項１０】
前記ディフューザまたは反作用素子は、前記投入部と対応する位置に設置された、少なくとも１つの円錐部または円錐台形状を有する部分（１７）を備えていることを特徴とする、請求項９に記載の装置。
【請求項１１】
前記ディフューザまたは反作用素子は、前記複数のローラの側面に少なくとも部分的に対面する側面を有する格子であることを特徴とする、請求項１〜６のいずれかに記載の装置。
【請求項１２】
前記複数のローラの内の少なくとも１つは、前記ケーシング内に着脱自在に設けられていることを特徴とする、請求項１〜１１のいずれかに記載の装置。
【請求項１３】
前記複数のローラの内の少なくとも１つは、外側面とは異なる表面特性を有する１箇所またはそれ以上の外側面領域（１５、１６）を有していることを特徴とする、請求項１〜１２のいずれかに記載の装置。
【請求項１４】
前記複数のローラの内の少なくとも１つは、前記ディフューザまたは反作用素子と対向する前記１箇所またはそれ以上の外側面領域を選択的に露呈することができるように、可動的になっていることを特徴とする、請求項１３に記載の装置。
【請求項１５】
前記複数のローラの内の少なくとも１つのローラの側面の残余部分とは異なる表面特性を有する前記１箇所またはそれ以上の側面領域は、前記ローラの全長にわたって延びていることを特徴とする、請求項１３または１４に記載の装置。
【請求項１６】
前記装置は、さらに、前記少なくとも１つのローラを、前記ディフューザまたは反作用素子に対して所定の角位置にブロックする手段を備えていることを特徴とする、請求項１３〜１５のいずれかに記載の装置。
【請求項１７】
前記装置はさらに、前記複数のローラの内の少なくとも１つのローラと、前記ディフューザまたは反作用素子との間の間隙を変化させる手段を備えていることを特徴とする請求項１〜１６のいずれかに記載の装置。
【請求項１８】
前記少なくとも１つのローラと、前記ディフューザまたは反作用素子との間の間隙を変化させる前記手段は、前記間隙を０．１〜４０ｍｍ範囲で変化させることを特徴とする、請求項１７に記載の装置。
【請求項１９】
前記ディフューザまたは反作用素子は、５００ｒｐｍ〜２３，０００ｒｐｍ範囲の速度で前記ケーシングに対して相対的に回転することを特徴とする、請求項１〜１８のいずれかに記載の装置。
【請求項２０】
前記装置はさらに、前記ケーシングの投出部の下流に、得られたマトリックスを類別する１つまたはそれ以上の部材（８ａ）（８ｂ）（１０ａ）（１０ｂ）（１２）（１３）を備えていることを特徴とする、請求項１〜１９のいずれかに記載の装置。
【請求項２１】
請求項１〜２０のいずれか１項に記載の装置を、乾燥状態の有機物質に由来する活性成分を含有するマトリックスの抽出に使用する用途。
【発明の詳細な説明】
【技術分野】
【０００１】
本発明は、少なくとも１つの回転子と、これと機能的に連動する１つのディフューザとが、処理するべき有機物質に、衝撃を介して、圧縮、伸長、または剪断等の機械的作用をして、乾燥物質、限定的ではないが、例えば有機物質を機械的に処理する装置に関する。この装置は、特に、例えば乾燥状態の植物起源の有機物質に由来する活性成分を含むマトリックスの抽出に適用しうるものである。
【背景技術】
【０００２】
「乾燥状態の物質」または「乾燥物質」成る用語については、実質的に水分が無く、合目的的に設計された装置内において、圧縮、伸長、または剪断により機械的処理を施され、その後異なる成分を含有するマトリックスを獲得し、これらを類別できるようにする、有機または無機の物質を意味するものとする。
【０００３】
被処理物質を、圧縮、伸長、または剪断して、破砕、粉砕、または微粉砕することによって、たとえば開始物質を元素繊維に還元すると共に、得たい成分を含むマトリックスを抽出する機能を果たして、脱水状態の有機または無機物質を、機械的に処理する多数の装置が知られている。
【０００４】
開始物質の機械的処理の次には、機械処理物質をさらに類別する工程、および場合により、化学的または熱処理を施す工程が続く。
【０００５】
ローリンガー(Rohlinger)名義で提出された特許文献１は、放射羽根付き円筒形回転子を、その作用に対する反動素子として機能するケーシング内に設置した、いかなる種類の物質をも微粉砕しうる微粉砕機を得る方法を教示している。ケーシングは、回転子の軸線と対応する位置において、開始物質を流入出来る形状とした、開始物質を投入する投入部を有している。
【０００６】
ロニング(Ronning)名義で提出された特許文献２は、乾燥有機物質の機械的分別装置について記載している。この装置では、放射羽根付き円筒形回転子が、開始物質を回転子に対して半径方向に流入できるように設置された、開始物質を導入する投入部を有するケーシング内で作動する。
【０００７】
ヘシュ(Hesch)名義で提出された特許文献３は、繊維から成る物質および化合物を壊変させる装置に関するものである。この装置は、被処理物質を受容する空洞を画成するようになっている放射羽根を備える回転子が設けられたケーシングを有している。
【０００８】
グリューンヴァルト(Gruenewald)名義で提出された特許文献４は繊維物質を機械的に処理する装置に関するものである。この装置では、合目的的に設計されたケーシング内で、２つの反対方向に回転するローラが、その軸線と直交する方向に流れる物質を挟み圧縮する。
【０００９】
シリング(Schilling)名義で提出された特許文献５は、有機物質壊変装置を記載している。
この装置においては、回転子は、その軸線と平行をなすと共に、刻み目付き側面を有し、円形固定子内で回転する多数のアームを有している。また固定子には、該アームとの間にある程度の間隙を空けて、アームの側面と対向設置された刻み目付き内面が設けられている。
【特許文献１】米国特許第２８８６２５４号公報
【特許文献２】米国特許第５４２１５２８号公報
【特許文献３】米国特許第６４３５４３３号公報
【特許文献４】米国特許第４５８９９２３号公報
【特許文献５】米国特許第６６３１８６２号公報
【発明の開示】
【発明が解決しようとする課題】
【００１０】
上記にその概要を示した従来の装置は、いずれも完璧とは言い難く、かなりの欠点および不都合な点を有している。
【００１１】
先ず、従来の装置は、使用の融通性にかなり欠けており、ある種の開始物質にしか適さず、装置が意図した物質とは異なる物理的特性を有する物質には、ほとんど適応しない。
【００１２】
さらに、従来の装置は、開始物質から、類別可能なマトリックス、すなわち処理後に得られる筈の種々の成分が首尾良く分離または分離可能である生成物のマトリックスを生成させるには、全く適しない。
【００１３】
また従来の装置を、乾燥状態の有機物質からの、たとえば製薬、化粧品、または食品分野において、利用可能な型の活性成分を含むマトリックスの抽出に使用した場合、これらの装置から得られたマトリックスからは、高純度の活性成分が得られず、またマトリックスに含まれる活性成分は安定性に欠けており、さらに、活性成分を含むマトリックスの獲得に、従来装置を使用した場合は、多量の開始物質が無駄になることが分かった。
【００１４】
したがって、本発明の第１の目的は、従来技術における欠点を有せず、物質、好適には乾燥状態の有機物質を、機械的に処理する装置を提供することにある。
【００１５】
よって、本発明による装置の目的は、処理後に得られる物質のマトリックスを容易に類別することができ、かつ多量の製造廃棄物の発生を回避するようにした、乾燥有機物等の物質を機械的に処理することにある。
【００１６】
本発明の第２の目的は、乾燥状態の有機物質から開始して、高い安定性と純度を保ちつつ、高率の活性成分を有するマトリックスを得られるようにした装置を提供することにある。
【００１７】
本発明の第３の目的は、処理を意図する異なるマトリックスに対する適性が高い乾燥物質処理装置を提供することにある。
【課題を解決するための手段】
【００１８】
本発明の前記およびその他の目的は、各請求項に記載された装置によって達成される。
【発明の効果】
【００１９】
本発明の装置によると、従来の目的別装置とは異なり、種々の特性を有する物質を、容易かつ効率良く処理でき、しかも高い安定性と純度を保った活性成分を、高率で含有するマトリックスを得ることができ、マトリックスの無駄も回避できる。
【発明を実施するための最良の形態】
【００２０】
本発明による乾燥状態の物質を機械的に処理する装置は、乾燥物質の投入部と投出部とを装備したケーシングを備えている。ケーシング内には、好適には互いに平行する軸線を有する複数のローラと、これら複数のローラに対して、少なくとも１つのディフューザまたは反作用素子とが設置されている。ローラは、ディフューザまたは反作用素子と、各ローラの側面との間に一定または可変の間隙を画成するように、ディフューザまたは反作用素子の周りに配設されている。
【００２１】
また、本発明の装置は、ディフューザまたは反作用素子を、複数のローラに対して回転自在に設置する手段、または少なくとも１つのローラまたは複数のローラ全部を、ディフューザまたは反作用素子に対して回転自在に設置する手段を備えている。
【００２２】
ディフューザまたは反作用素子の周りに、ローラを旋回自在に配設すると、ローラに対するディフューザ素子の相対的回転、またはディフューザ素子に対するローラの相対的回転中に、乾燥した開始物質を、最適要領で異なる形状寸法および生化学特性を有し、開始物質からの所望の成分を含むマトリックスに壊変できる機械的作用を、乾燥した開始物質に付与できることが分かった。
【００２３】
本発明の好適形態によると、ローラを、着脱自在従って交換自在にすることによって、使用者が異なる構成形状または表面粗さを有するローラを使用することができ、また各ローラとディフューザまたは反作用素子との間の間隙を変えることができる。また、ディフューザまたは反作用素子を、着脱自在にケーシング内に装填することができる。
【００２４】
この様に、本発明による装置を、異なる物理的、形状寸法または生化学特性を有する開始物質について、容易に使用しうるようにさせることができる。
【００２５】
本発明の別の形態によると、ディフューザまたは反作用素子は、ローラの軸線が互いに平行である場合、ローラ軸線と平行する軸線を有する円筒部、およびローラ自体の側面と少なくとも部分的に対向する側面を有し、前記ローラについては、側面の残余部分とは異なる表面特性を有する少なくとも１箇所の外側面部分を持たせることができる。特にローラ側面部分としては、ローラの全長にわたって延びる側面領域が考えられる。
【００２６】
本装置にはまた、前記異なる表面部分を有する少なくとも１つのローラを、ディフューザまたは反作用素子に対して、一定の角度を成す位置にブロックする手段を設けることができる。
【００２７】
このようにすると、使用者は、ローラをその軸線を中心として回転させて、所望の角位置に固定するだけで、適宜形状寸法および表面特性を有するローラのある表面を、ディフューザまたは反作用素子と対面させることによって、開始物質に付与する機械的作用の条件を変えることができる。
【００２８】
本発明の装置の好適実施例では、ケーシングの開始物質投入部は、ディフューザまたは反作用素子の軸線と同一方向に、開始物質を装置内に導入できるような形状とされている。
【００２９】
本発明のさらに別の形態によると、この装置は、さらに、ケーシング投出部の下流側にあって、処理済物質を類別する、たとえばサイクロン分離器、またはフィルタ等の部材を、１つまたは複数備えている。
【実施例】
【００３０】
次に、添付図面を参照して、本発明の装置の好適実施例を説明する。
【００３１】
図面に示すように、乾燥状態の開始物質７を処理する機械的処理装置１は、頂部に開始物質７を投入するための投入部５を有し、底部に２つの排出部６ａ、６ｂを有するケーシング２を備えている。
【００３２】
ケーシング２内には、開始物質７用のディフューザまたは反作用素子４、および複数のローラ３が収容されている。これらの複数のローラ３は、各ローラ３ａ、３ｂの側面と、ディフューザまたは反作用素子４との間に、被処理物質を通過させる間隙”ｄ”が形成されるようにして、ディフューザまたは反作用素子４の周りに設けられている。
【００３３】
また本発明の装置は、ディフューザまたは反作用素子４を、複数のローラ３に対して回転自在に設けるか、または少なくとも１つのローラ３ａ、３ｂまたは複数のローラ３全部を、ディフューザまたは反作用素子４に対して、回転自在に保持する手段（図示せず）を備えている。
【００３４】
前記手段は、電動機、自動制御装置、運動を伝達する駆動軸、駆動歯車等で構成することができ、これにより、図４に概要図を示すような様式で、ディフューザまたは反作用素子４またはローラ３ａ、３ｂを作動させることができる。
【００３５】
本発明の好適な形態によると、機械的処理装置１には、ディフューザまたは反作用素子４を回転自在に支持する手段のみを設け、複数のローラ３を作動させる手段を省くことができる。この様にすると、ディフューザまたは反作用素子４を、その軸線ｂ−ｂを中心として回転させるように設置することができ、複数のローラ３については、全体としてディフューザまたは反作用素子４の周りを旋回させることなく、ケーシング２に固定することができる。
【００３６】
しかし、本発明による機械的処理装置１の好適な実施例では、ローラ３ａ、３ｂを、合目的的に設けた手段（図示せず）によって、その軸線ａ−ａを中心として、ディフューザまたは反作用素子４の回転方向とは反対方向に、個別に回転できるようにすることもできる。
【００３７】
ローラ３ａ、３ｂをケーシング２に固定するか、またはその軸線ａ−ａを中心として回転できるようにするかに応じて、ケーシング２は、図３に示すような複数のローラ３によって定められる外形に適合するような形状とされる。
【００３８】
この代わりに、機械的処理装置１には、ディフューザまたは反作用素子４を回転自在に支持する手段ではなく、複数のローラ３を、ディフューザまたは反作用素子４の周りを旋回させる手段のみを設けることもある。この場合、前記複数のローラ３の全ローラ３ａ、３ｂを、必然的にケーシング２に固定されたディフューザまたは反作用素子４の軸線ｂ−ｂを中心として旋回するようにする。
【００３９】
この特有な動作様式は、ディフューザまたは反作用素子４が、ローラ３ａ、３ｂの側面と、少なくとも部分的に当接する側面を有するように形成され、かつ設置された固定リングナット（図示せず）で構成されている場合には望ましいことである。
【００４０】
この場合、機械的処理装置１のケーシング２を、複数のローラがディフューザまたは反作用素子４の軸線ｂ−ｂまわりに旋回できるような形状に成形する必要がある。たとえば、ケーシング２を、直円部を備える円筒形にする。
【００４１】
本発明の別の形態によると、この装置１に、複数のローラ３とディフューザまたは反作用素子４とを、共に、ケーシング２に対して回転するようにする手段を設けることもある。この場合、図４に概略を示すように、ディフューザまたは反作用素子４の回転方向を、複数のローラ３の回転方向と反対にすることによって、ローラ３ａ、３ｂとディフューザまたは反作用素子４の回転速度を、高速ではないが、かなりの速度にすることができる。
【００４２】
ローラ３ａ、３ｂに対するディフューザまたは反作用素子４、またはディフューザまたは反作用素子４に対するローラ３ａ、３ｂの相対的回転速度については、被処理物質に応じて、通常、５００ｒｐｍ〜２３，０００ｒｐｍ範囲とする。
【００４３】
前記のように、ディフューザまたは反作用素子４およびローラ３ａ、３ｂの作動様式に係わらず、複数のローラ３の各ローラ３ａ、３ｂを、その軸線ａ−ａを中心として回転させることができる。
【００４４】
これに関連して、装置１には、ローラ３ａ、３ｂをディフューザまたは反作用素子４に対して、自己の軸線を中心として個別に回転させる手段を設けることができる。またこの際、ディフューザまたは反作用素子４が合目的的に設けられた手段によって作動させられる場合には、ローラ３ａ、３ｂの回転方向を、ディフューザまたは反作用素子４の回転方向と反対にするのが望ましい。
【００４５】
この代わりに、自身の軸線ａ−ａを中心として回転できる１つまたは複数のローラ３ａ、３ｂ、または複数のローラ３全部を、ディフューザまたは反作用素子４の回転中に、物質７の抵抗に対抗するように、ケーシング７内に空転するようにして設けることもできる。
【００４６】
図面は、円筒形のローラ３ａ、３ｂを示しているが、この代わりに、軸線ａ−ａを中心として回転自在であることを条件として、たとえば円錐形、円錐台形、捩れ円柱体、またはその他のいかなる形状にもすることができることについて、留意されたい。後者の場合、ローラ３ａ、３ｂの「側面」は、ディフューザまたは反作用素子４に機能的に連結されるように設置されたローラ表面を意味する。
【００４７】
また、ローラ３ａ、３ｂの形状については、同一または複数のローラ３の間で変えることができる。
【００４８】
同様に、図面ではディフューザまたは反作用素子４の形状は、円錐形または円錐部１７を頂部に有する円筒体とされているが、その他のいずれの適宜の形状も、乾燥した開始物質の拡散および機械的処理に使用できる。従って、たとえば、ディフューザまたは反作用素子４を、複数のローラ３の側面の輪郭に沿うような形状の側面を有する、可動型またはケーシング２に固定された円筒形のリングナットとすることができる。
【００４９】
図面に示す実施例では、それぞれの軸線ａ−ａが、互いに平行し、かつおおむね円周に沿って位置するように（図３および図４）、ローラ３ａ、３ｂをケーシング２内に配置してある。このような配置にすると、装置の構成を相当に簡略化できる。
【００５０】
本発明の好適な形態によると、前記のように、ディフューザまたは反作用素子４は、円錐部１７または円錐台部を頂部に配した円筒部を備えており、その側面は、少なくとも部分的に、ローラ３ａ、３ｂの側面と対向している。図示の実施例では、ディフューザまたは反作用素子４の円筒部は、その軸線ｂ−ｂと平行をなし、かつ軸線ｂ−ｂに対して放射状に配置された複数の羽根１８を備えている。
【００５１】
被処理物質を導入する投入部５は、好適には、ディフューザまたは反作用素子４の円錐部分または円錐台様部分と対応する位置において、ディフューザまたは反作用素子４の軸線ｂ−ｂ、またはローラ３ａ、３ｂが互いに平行である場合は、それらの軸線ａ−ａと平行する方向に物質を流入できるような形状として、ケーシング２上に設置できる。
【００５２】
本発明の好適実施例では、複数のローラ３中の各ローラ３ａ、３ｂは、乾燥状態の開始物質の関数として、または装置の動作中に発生する摩耗で、新しいローラ３ａ、３ｂを装填しなければならない時に取り替えできるようように、着脱自在にケーシング２内に装填されている。
【００５３】
また、ディフューザまたは反作用素子４については、取り替えに便利なように、ケーシング２内に着脱自在に装填できる。
【００５４】
ローラ３ａ、３ｂについても、同様に、ケーシング２内の、ディフューザまたは反作用素子４に対する径方向の変位、およびその後の所望位置への固定を可能にするガイド上に装填できる。この様にすると、各ローラ３ａ、３ｂとディフューザまたは反作用素子４の作用面との間の間隙”ｄ”を変えることによって、機械的処理装置１を、異なる物理的、形状寸法および化学的特性を有する物質に適合させることができる。ローラ３ａ、３ｂとディフューザまたは反作用素子４との間隙”ｄ”は、０．１〜４０ｍｍ範囲にすることができる。
【００５５】
本発明の好適形態によると、ローラ３ａ、３ｂの側面は、各ローラ３ａ、３ｂの全長にわたって延び、互いに異なる特性を有する表面領域１５、１６を呈するものとすることができる。たとえばローラ３ａ、３ｂは、ローレット付き領域１５、１６またはスパイク付き領域、または刻み目付き領域、高粗さの平滑領域、もしくは低粗さの平滑領域を呈するものとすることができる。
【００５６】
ローラ３ａ、３ｂが、作動手段によって回転自在に設置されていない場合、またその全長にわたって延びる異なる表面領域を呈している場合は、各ローラ３ａ、３ｂの表面領域１５、１６を、各ローラ３ａ、３ｂがディフューザまたは反作用素子４に対して設置されている角位置の関数として、ディフューザまたは反作用素子４の作用面と対向させた状態にしておくことが望ましい。
【００５７】
この場合、機械的処理装置１には、軸線ａ−ａを中心とする各ローラ３ａ、３ｂのディフューザまたは反作用素子４に対する角位置をブロックする適宜の部材を設けることがある。
【００５８】
かくして本実施例によると、機械的処理装置１の使用者は、装置１が開始物質７に及ぼすべき作用の関数として、各ローラ３ａ，３ｂのいずれの領域１５、１６を、ローラ３ａ、３ｂの側面に機能的に連結されたディフューザまたは反作用素子４の作用面と対向させておくかを決定できる。
【００５９】
好適には、乾燥状態の有機物質に由来する活性成分を含むマトリックスの抽出、およべ類別に使用できる図１に示す機械的処理装置１は、また、たとえば適宜吸気器１２によって制御発生された吸込流を受け易く、かつ排出部９ａ、９ｂを装備した、角付き立てパネル８ａ、８ｂ、排出部１１ａ、１１ｂ付きサイクロン分離器１０ａ、１０ｂ、および振動ふるい等の排出部１４付きフィルタ１３等の、ケーシング２の排出部６ａ、６ｂから排出された物質を類別／選択する複数の部材を備えることができる。
【００６０】
これらの類別部材は、ディフューザまたは反作用素子４および複数のローラ３によって機械的に処理された後に、ケーシング２から投出される異なるマトリックスを、最適に選択できる。
【００６１】
図に示す装置１は、開始物質７、および使用者が機械的処理後に得たいものの関数として、使用者が、特にローラ３ａ、３ｂの数と表面構造、ディフューザまたは反作用素子４の表面構造ならびにディフューザまたは反作用素子４とローラ３ａ、３ｂの側面との間に空けるべき間隙を決定して、最も適切なローラ３ａ、３ｂおよびディフューザまたは反作用素子４を選定し、ケーシング２内に設置することを想定している。
【００６２】
この点において、回転条件、すなわち物質７に適していると思われるローラ３ａ、３ｂ、または複数のローラ３、またはディフューザまたは反作用素子４の角速度を設定した後、使用者は、投入部５からケーシング２内に開始物質７を導入する。
【００６３】
開始物質７は、ディフューザまたは反作用素子４に対する投入部５の位置のために、落下してディフューザまたは反作用素子４の円錐部１７に当たって、横にそれ、ローラ３ａ、３ｂとディフューザまたは反作用素子４との間の間隙”ｄ”内の、好適には羽根１８付きのディフューザまたは反作用素子４の円筒部とローラ３ａ、３ｂ側面との間に延びる空間に入る。
【００６４】
ローラ３ａ、３ｂがディフューザまたは反作用素子４に対して相対的に回転することにより、開始物質７を機械的に処理でき、その結果開始物質は、ケーシング２の排出部６ａ、６ｂで、マトリックスに還元される。
【００６５】
この状態から、図１に示す特定の実施例では、マトリックスは、部材８ａ、８ｂ、１０、１０ｂ、１２および１３によって、さらに類別され、正確に選択された要領で装置１の使用者に提供される。すなわち、装置１の排出側では、それぞれ、非常に純度が高い占有的要領で、開始物質に存在する成分の内で、１個または数個の成分しか含まない、互いに良く選別された一連のマトリックスを得ることができる。
【産業上の利用可能性】
【００６６】
本発明の装置によると、従来の目的別の装置とは異なり、使用者が、開始物質の特性に合わせて部品を選択して設置し、目的に合った処理を行うことによって、純度および安定度が高い活性成分を高率で含有するマトリックスを、開始物質を無駄にすることなく抽出できる。そのため、薬品、化粧品および食品分野等の広範分野において、有効に利用することができる。
【図面の簡単な説明】
【００６７】
【図１】本発明の特定の形態による装置の概略図である。
【図２】本発明の別の形態による、２つのローラで包囲されたディフューザまたは反作用素子の概略的破断側面図である。
【図３】図１に示す装置の、複数のローラで包囲されたディフューザまたは反作用素子を、上から見た概略的横断面図である。
【図４】種々の部材の可能な回転方向を示す、複数のローラで包囲されたディフューザまたは反作用素子の概略的平面図である。
【符号の説明】
【００６８】
１    機械的処理装置
２    ケーシング
３、３ａ、３ｂ    ローラ
４    ディフューザまたは反作用素子
５    投入部
６、６ａ、６ｂ  排出部
７    開始物質
８ａ、８ｂ    立てパネル
９ａ、９ｂ    排出部
１０ａ、１０ｂ    サイクロン分離器
１１ａ、１１ｂ    排出部
１２    吸気器
１３    フィルタ
１４    排出部
１５、１６    表面領域
１７    円錐部
１８    羽根
ａ−ａ、ａ’−ａ’    ローラの軸線
ｂ−ｂ    ディフューザまたは反作用素子の軸線 
ｄ    間隙
【図１】
2006289362.tif 000003
【図２】
2006289362.tif 000004
【図３】
2006289362.tif 000005
【図４】
2006289362.tif 000006